(57)【要約】【課題】自動現像機への誤装填を防止するための誤装填防止パターンをより多く簡単に設定することができる写真処理剤カートリッジを得る。【解決手段】写真処理剤用容器１２（１２Ａ、１２Ｂ、１２Ｃ）の外側面に凹部２６を設け、写真処理剤用容器１２の収納箱１４への収納においては凹部２６の配置を異ならせる複数（４通り）の収納向きを選択できるようにする。収納箱１４には、所定の収納向きで収納される各写真処理剤用容器１２の各凹部２６と対応する開口８０、８２、（８４）を形成する。これらの凹部と開口により、写真処理剤カートリッジ１０に、自動現像機に設けられた誤装填防止用の凸部が嵌合可能な第１嵌合部８６及び第２嵌合部８８を形成する。この嵌合部の数、配置の変更は、各写真処理剤用容器１２の収納向きを変更しそれに伴い凹部２６と対応させて収納箱１４の開口の数、配置を変更することにより行う。【選択図】        図１
2005017836.tif 000002
【特許請求の範囲】
【請求項１】
異なる種類の写真処理剤がそれぞれ充填された複数の容器と、この複数の容器を１セットにするセット部材と、を備え、自動現像機に設けられた装填部に装填されることにより前記異なる種類の写真処理剤をそれぞれ前記自動現像機に供給する写真処理剤カートリッジであって、
前記複数の容器の少なくとも一つは、容器の外面が局部的に凹状に変形された凹部を有し、この凹部の少なくとも一つが前記装填部に設けられた少なくとも一つの凸部に嵌合するよう構成されていることを特徴とする写真処理剤カートリッジ。
【請求項２】
前記セット部材は前記複数の容器を収納するケース部材とされ、このケース部材は複数の容器を収納した状態で前記凹部と対応する開口部を有することを特徴とする請求項１記載の写真処理剤カートリッジ。
【請求項３】
前記セット部材は前記複数の容器を結合する結合部材とされていることを特徴とする請求項１記載の写真処理剤カートリッジ。
【請求項４】
前記凹部を有する容器は、前記ケース部材への収納において凹部の配置を異ならせる複数の収納向きが選択可能とされていることを特徴とする請求項２記載の写真処理剤カートリッジ。
【請求項５】
前記容器が角筒状又は円筒状とされていることを特徴とする請求項１〜請求項４の何れか１項記載の写真処理剤カートリッジ。
【請求項６】
前記角筒状とされた容器は前記外面の一部である外側面を４面備える四角筒状とされ、前記凹部はその４面の外側面の少なくとも何れか１面に設けられていることを特徴とする請求項５記載の写真処理剤カートリッジ。
【請求項７】
前記複数の容器が同一構成とされていることを特徴とする請求項１〜請求項６の何れか１項記載の写真処理剤カートリッジ。
【発明の詳細な説明】
【０００１】
【発明の属する技術分野】
本発明は写真処理剤カートリッジに係り、詳しくは、現像液、漂白液、定着液等の異なる種類の写真処理剤がそれぞれ充填された複数の容器を１セットにしてそれらの写真処理剤を一度に自動現像機に供給することができる写真処理剤カートリッジに関する。
【０００２】
【従来の技術】
フィルムの現像処理を行うフィルムプロセッサ、フィルム画像をプリント出力するプリンタプロセッサ等を備える自動現像機では、現像、漂白、定着等の各処理工程で、種類の異なる複数の写真処理剤（処理薬品）が使用される。これらの写真処理剤は、専用の写真処理剤用容器に充填されて現像所（ラボ）に供給され、オペレータがその写真処理剤用容器を自動現像機に装填することにより自動現像機に供給又は補充されるが、近年では、この写真処理剤の供給作業をオペレータが簡単且つ清潔に行えるようにするため、各写真処理剤がそれぞれ充填された複数の写真処理剤用容器を１セットで交換することができるカートリッジ方式が主流となっている。
【０００３】
例えば、図２３及び図２４に示される従来の写真処理剤カートリッジ２００では、現像液、漂白液、定着液をそれぞれ充填した３本の写真処理剤用容器２０２（２０２Ａ、２０２Ｂ、２０２Ｃ）が、直方体形状の収納箱（段ボール箱）２０４に収納されて１セットにされている。写真処理剤用容器２０２については、プラスチック製で図２５〜図２７に示すように四角筒状に形成されるとともに、口部にはキャップ２０６及びパッキン２０８が取り付けられて、容器内の写真処理剤が漏れ出さないよう封止されている。
【０００４】
そしてこの写真処理剤カートリッジ２００は、オペレータの手作業により、写真処理剤用容器２０２の口部（キャップ２０６及びパッキン２０８）を下方に向けた逆さまの状態で、自動現像機のカートリッジ装填部に装填される。装填が完了すると、各写真処理剤用容器２０２に対応して設けられた穿孔部材（洗浄ノズル）がパッキン２０８を押圧して開封し、各写真処理剤は排出され自動現像機に供給される。このようなカートリッジ方式によって、オペレータは、容器及び写真処理剤に触れることなく、３種類の写真処理剤（現像液、漂白液、定着液）を一度に自動現像機に供給できるようになり、したがって、作業の簡便性及び清潔性が図られている。
【０００５】
また、この写真処理剤カートリッジには、２種類の写真処理剤を上述の写真処理剤用容器２０２よりも小容量の容器にそれぞれ充填してそれらを１セットにした小型サイズのものもあるが、それとは別に、上記３種類の写真処理剤の組み合わせによる同一サイズのカートリッジにおいて、使用する機種に応じて写真処理剤の成分を変えた複数の種類が用意されている。そして、それらの写真処理剤カートリッジが誤って他の機種に装填されることを防ぐため、収納箱２０４の前面２１０の上端部には、カートリッジの種類毎に数や配置を異ならせた切り欠きを形成し（図２３の例では２個の切り欠き２１２が左右非対称に配置されている）、自動現像機にはその切り欠きに嵌合する凸部を設け、カートリッジを装填する際の凸部と切り欠きの嵌合の可否により、その写真処理剤カートリッジの正誤をオペレータが判断できるようになっている（例えば、特許文献１参照）。
【０００６】
【特許文献１】
特開平１１−２８２１４８号公報  （第５−７頁、第１図、第５図）
【０００７】
【発明が解決しようとする課題】
ところで、上述した写真処理剤カートリッジ２００の場合、自動現像機側の凸部が嵌合可能な切り欠き２１２又は開口等を形成できる部位は、内部が空洞になっている収納箱２０４の上端部に限られる。そのため、切り欠き２１２や開口等の数、配置の差異を利用する誤装填防止のパターン（形態）を、それ程多く設定することができない。これまでは、写真処理剤カートリッジの種類が少なかったため、上記の構造でも問題にはならなかったが、今後は、自動現像機の機種が増えるのに伴い写真処理剤カートリッジの種類も増加するため、更に多くの誤装填防止パターンを簡単に設定できる新たな構造が求められている。
【０００８】
本発明は上記事実を考慮して、自動現像機への誤装填を防止するための誤装填防止パターンをより多くしかも簡単に設定することができる写真処理剤カートリッジを提供することを課題とする。
【０００９】
【課題を解決するための手段】
上記目的を達成するために請求項１に記載の発明は、異なる種類の写真処理剤がそれぞれ充填された複数の容器と、この複数の容器を１セットにするセット部材と、を備え、自動現像機に設けられた装填部に装填されることにより前記異なる種類の写真処理剤をそれぞれ前記自動現像機に供給する写真処理剤カートリッジであって、前記複数の容器の少なくとも一つは、容器の外面が局部的に凹状に変形された凹部を有し、この凹部の少なくとも一つが前記装填部に設けられた少なくとも一つの凸部に嵌合するよう構成されていることを特徴としている。
【００１０】
請求項１に記載の発明では、異なる種類の写真処理剤がそれぞれ充填される複数の容器の少なくとも一つに、容器の外面を局部的に凹状に変形させた凹部を設け、これら複数の容器をセット部材により１セットにして写真処理剤カートリッジを構成する。自動現像機への装填では、複数の容器の少なくとも一つに設けられた凹部と、自動現像機の装填部に設けられた凸部との嵌合の可否により、写真処理剤カートリッジの誤装填防止が図られる。
【００１１】
ここで、写真処理剤カートリッジが備える凹部の数の変更は、凹部が設けられた容器の数の増減、又は、容器に設ける凹部の数の増減、言い換えれば、凹部の数が異なる複数種類の容器を用いる、などにより果たされる。また、写真処理剤カートリッジが備える凹部の配置の変更については、セット部材によるセット化において容器の配列を変える、又は、容器の外面に設ける凹部の位置を変更する、言い換えれば、外面に設けられた凹部の位置が異なる複数種類の容器を用いる、などにより果たされる。そしてこれらの凹部の数、配置の変更を組み合わせることにより、多数の誤装填防止パターンを設定することができる。しかも、この誤装填防止パターン（凹部の数、配置の組み合わせ）の変更は、例えば別の部材を追加するなどしなくても、従来と同じ容器及びセット部材による構成のみで実現される。これにより、自動現像機への誤装填を防止するために写真処理剤カートリッジに設ける誤装填防止パターンがより多くしかも簡単に設定できるようになる。
【００１２】
請求項２に記載の発明は、請求項１記載の写真処理剤カートリッジにおいて、前記セット部材は前記複数の容器を収納するケース部材とされ、このケース部材は複数の容器を収納した状態で前記凹部と対応する開口部を有することを特徴としている。
【００１３】
請求項２に記載の発明では、複数の容器をケース部材に収納して写真処理剤カートリッジを形成すると、複数の容器の少なくとも一つに設けられた凹部が、ケース部材に設けられた開口部に位置合わせされる。自動現像機への装填では、これらの凹部及び開口部と、自動現像機の装填部に設けられた凸部との嵌合の可否により、写真処理剤カートリッジの誤装填防止が図られる。また誤装填防止パターンの設定では、凹部の数、配置の変更に対応させて、収納箱には数、配置を異ならせた開口部を設けるだけであるため、簡単に多数の誤装填防止パターンが設定できる。
【００１４】
請求項３に記載の発明は、請求項１記載の写真処理剤カートリッジにおいて、前記セット部材は前記複数の容器を結合する結合部材とされていることを特徴としている。
【００１５】
請求項３に記載の発明では、複数の容器を例えばテープ材で結束する又はフィルム材で包装するなどして結合し、写真処理剤カートリッジが形成される。このようなテープ材又はフィルム材からなる結合部材であれば、写真処理剤カートリッジの製造コストが抑えられる。また、結合部材をプラスチック材料で形成することにより、結合部材の材料リサイクル性を良好にすることもできる。
【００１６】
請求項４に記載の発明は、請求項２記載の写真処理剤カートリッジにおいて、前記凹部が設けられた容器は、前記ケース部材への収納において凹部の配置を異ならせる複数の収納向きが選択可能とされていることを特徴としている。
【００１７】
請求項４に記載の発明では、凹部が設けられた容器は、ケース部材への収納において、凹部の配置を異ならせる複数の収納向きが選択可能であり、その複数の収納向きのうちの何れか一つが選択されて収納される。これにより、誤装填防止パターンの設定において、凹部の数、配置変更が簡単になる。また、例えば、凹部が設けられた容器を複数用いる場合は、それらの容器の凹部同士を対向させることで、単独の凹部とは異なった（この場合は単独の凹部よりも大きい）凹部形状を形成することができるようになり、それによって、更に多くの誤装填防止パターンが設定できるようになる。
【００１８】
請求項５に記載の発明は、請求項１〜請求項４の何れか１項記載の写真処理剤カートリッジにおいて、前記容器が角筒状又は円筒状とされていることを特徴としている。
【００１９】
請求項５に記載の発明では、容器が角筒状の場合は、外面の一部である外側面に凹部を容易に設けることができ、その凹部を用いて誤装填防止パターンが設定できる。また容器が円筒状の場合は、外面の一部である外周面に凹部を容易に設けることができ、その凹部を用いて誤装填防止パターンが設定できる。
【００２０】
請求項６に記載の発明は、請求項５記載の写真処理剤カートリッジにおいて、前記角筒状とされた容器は前記外面の一部である外側面を４面備える四角筒状とされ、前記凹部はその４面の外側面の少なくとも何れか１面に設けられていることを特徴としている。
【００２１】
請求項６に記載の発明では、容器を四角筒状とすることにより、ケース部材への収納における容器同士及び容器とケース部材の間に生じる無駄なスペースを小さくすることができる。また、この四角筒状の容器に設ける凹部は、４面の外側面の何れか１面に１個とすることにより、凹部を複数設ける場合と比較しての容器の容量低下を抑えながらも、ケース部材への収納では、凹部の配置を異ならせる収納向きが４つの向きから選択できるようになる。
【００２２】
請求項７に記載の発明は、請求項１〜請求項６の何れか１項記載の写真処理剤カートリッジにおいて、前記複数の容器が同一構成とされていることを特徴としている。
【００２３】
請求項７に記載の発明では、複数の容器を同一構成とすることにより、すなわち、同材料により同形状に形成された一種類の容器を用いることにより、容器及び写真処理剤カートリッジの製造管理が容易となってコストが抑えられる。
【００２４】
【発明の実施の形態】
以下、図面を参照して本発明の実施の形態を説明する。
【００２５】
［第１の実施形態］
図１〜図７には、本発明の第１の実施形態に係る写真処理剤カートリッジ１０が示されており、図８〜図１３には、写真処理剤カートリッジ１０が備える写真処理剤用容器１２が示されている。
【００２６】
図１〜図４に示すように、写真処理剤カートリッジ１０は３本の写真処理剤用容器１２（１２Ａ、１２Ｂ、１２Ｃ）及び収納箱１４によって構成されている。各写真処理剤用容器１２には、現像液、漂白液、定着液がそれぞれ充填されており、それらの写真処理剤用容器１２は収納箱１４に収納されて１セット（１パッケージ）にされている。
【００２７】
この３本の写真処理剤用容器１２は、同材料により同形状に形成された同一構成とされており、ここでは、ＰＥ（ＨＤＰＥ（高密度ポリエチレン）／ＬＰＤＥ（低密度ポリエチレン））等のプラスチック材料を用い、ダイレクトブロー成型法又はインジェクションブロー成型法等のブロー成型法によって四角筒状に形成されている。
【００２８】
図１３に示すように、写真処理剤用容器１２の底部２０の形状は、４つの角部がＲ形状とされ４辺の長さ寸法Ｌ１が等しくされた略正方形とされている。なお、この略正方形を形成する各辺は、成型のために外側に少し湾曲しており、ここでの各辺の長さ寸法Ｌ１については、その湾曲部を含む最大長さ寸法としている。またこの長さ寸法Ｌ１が、写真処理剤用容器１２の水平断面における厚さ寸法となっている。
【００２９】
底部２０の各辺からは４つの外側面２２が垂直に立ち上がっており、これらの４つの外側面２２によって写真処理剤用容器１２の胴部２４は形成されている。また、外側面２２の１つには、上下方向の中央よりも上側に位置して凹部２６が１個設けられている（図８〜図１２参照）。
【００３０】
凹部２６は、図１０に示すように正面視が横長の略矩形状で、その上下の各長辺が外側面２２の長辺（胴部２４の角部）に対して略垂直となる向きにされており、図１１に示す側面視及び図１２に示す垂直断面視においては、角部がＲ形状とされた略台形の曲面状とされている。また、図１３の水平断面に示すように、凹部２６の側端部には、角部を斜め約４５度に面取りするとともに、外側面２２に対して凹みとなる傾斜面部２７が設けられている。これらの凹部２６、及び凹部２６と連続的に設けられた傾斜面部２７は、外側面２２を局部的に凹状に変形させることにより形成されている。なお、本実施形態では、傾斜面部２７が、凹部２６が設けられた外側面２２と、隣接する外側面２２とに跨って配置されているため（図１１参照）、凹状部全体としては３つの外側面２２に連なって配設されている。ただし、後述する誤装填防止として機能する部位は凹部２６であるため、ここでは、実質的に凹部は４面の外側面の何れか１面に１個設けられた構成となっている。
【００３１】
写真処理剤用容器１２の胴部２４の上側には、胴部２４を絞って形成された四角錘状の肩部２８が設けられており、肩部２８の頂部には、上方へ円筒状に突出された円筒部３０が設けられている。
【００３２】
円筒部３０は、軸方向の下側が肩部２８に繋がれた大径部３２、軸方向の上側が大径部３２よりも小径の小径部３４とされた２段構成となっており、これらの大径部３２と小径部３４の間には、大径部３２の径寸法よりも少し大径とされた円形のフランジ３６が同軸的に設けられている。また、小径部３４の外周面の上端部（先端部）には、図示しない雄ねじが形成されており、この小径部３４の上端部には、小径部３４（円筒部３０）の先端に設けられた平面視円形の口部３７を閉塞するキャップ３８及びパッキン４０が取り付けられている。
【００３３】
キャップ３８及びパッキン４０は、ＰＥ（ポリエチレン）等のプラスチック材料により形成されている。キャップ３８は、円筒状とされてその内周面には小径部３４の雄ねじに螺合する図示しない雌ねじが形成されており、内周面の上縁部には、所定寸法縮径されて段状に形成された段状部が設けられている。パッキン４０については、円筒部３０の口部３７を塞ぐ大きさの円形の蓋状とされており、図８及び図９に示す取付状態でキャップ３８の空洞部から露出される非閉塞面（表面）４２には、中心部から外周側へ放射状に延出された４本の溝４４によって構成される脆弱部が設けられている。
【００３４】
また、本実施形態の写真処理剤用容器１２における好ましい各寸法は以下の通りとなっている。
【００３５】
写真処理剤用容器１２の高さ寸法（底部２０の底面からキャップ３８の上面までの寸法）Ｈ１は約３０６ｍｍである。ただしこの高さ寸法Ｈ１は、パッキン４０の厚さ寸法精度やキャップ３８の締め付け強度等の影響により多少のばらつきを生じる。写真処理剤用容器１２の底部２０の底面から口部３７先端までの高さ寸法Ｈ２は約３０１ｍｍであり、写真処理剤用容器１２の底部２０の底面からフランジ３６の上面までの高さ寸法Ｈ３は約２６３ｍｍであり、写真処理剤用容器１２の底部２０の底面から胴部２４の上端（胴部２４と肩部２８との境界）までの外側面２２の高さ寸法Ｈ４は約２５０ｍｍであり、写真処理剤用容器１２の厚さ寸法Ｌ１は約７８ｍｍである。
【００３６】
凹部２６については、写真処理剤用容器１２の底部２０の底面から凹部２６の下縁までの高さ寸法Ｈ５は約１４５ｍｍであり、凹部２６の高さ寸法Ｈ６は約４０ｍｍであり、凹部２６の深さ寸法Ｄ１は約１０ｍｍであり、容積は約３０ｍＬである。
【００３７】
写真処理剤用容器１２の胴部２４及び凹部２６の平均肉厚は０．３〜０．７ｍｍである。
【００３８】
また凹部２６が無い場合の写真処理剤用容器１２の胴部２４の容積（容量）は、その肉厚、底部２０と胴部２４との境界部となる角部のＲ形状、底部２０中央の凹形状、胴部２４の水平断面における４つの角部のＲ形状、及び外側面２２の湾曲形状等による容積減少分を無視すると、約２５０ｍｍ×約７８ｍｍ×約７８ｍｍ＝約１５２１ｍＬとなり、凹部２６が有る場合の写真処理剤用容器１２の胴部２４の実質的な容積は、約１５２１ｍＬ−約３０ｍＬ＝約１４９１ｍＬである。したがって、この凹部２６の容積は、写真処理剤用容器１２の胴部２４の容積（容量）の２％程度を占めている（約３０ｍＬ／約１５２１ｍＬ×１００）。
【００３９】
なお、本実施形態の写真処理剤用容器１２では、胴部２４と肩部２８との境界部は写真処理剤用容器１２の強度を保つために曲面状になっており、胴部２４と凹部２６との境界部は成形により微小な曲面状になっている。そのため、上記の高さ寸法Ｈ４を示す胴部２４と肩部２８との境界は、図１２に示すように、垂直断面における胴部２４の外側面２２の延長線と肩部２８表面の延長線との交点Ｐ１（仮想境界）としている。また高さ寸法Ｈ５及び高さ寸法Ｈ６を示す胴部２４と凹部２６との境界は、垂直断面における胴部２４の外側面２２（平面）と凹部２６縁の曲面との変曲点Ｐ２としている。また、本実施形態の凹部２６は底面が平面状であるため、写真処理剤用容器１２の外側面２２から凹部２６の底面までの深さが凹部２６の最大深さとなる。
【００４０】
写真処理剤用容器１２は以上の構成とされており、この写真処理剤用容器１２に、円筒部３０の口部３７を開放した状態で写真処理剤を所定量注入した後、口部３７にパッキン４０を被せ円筒部３０の先端部にキャップ３８をねじ込んで取り付けると、キャップ３８に内装されたパッキン４０がキャップ３８の段状部により口部３７に押圧固定され口部３７が閉塞される。これにより、内部に写真処理剤を充填した写真処理剤用容器１２が形成される。
【００４１】
一方、上記の写真処理剤用容器１２を収納する収納箱１４は、段ボール製とされており、図１〜図７に示すように、写真処理剤用容器１２を収納した状態では直方体形状とされている。
【００４２】
収納箱１４は、上面が矩形状に開口し内部が空洞とされて写真処理剤用容器１２を収納可能な箱本体５０、及びその箱本体５０の開口５２を閉塞する中蓋５４（図３〜図６参照）と外蓋５６を備えている。
【００４３】
図７に示すように、箱本体５０の開口５２は、短辺の長さ寸法Ｌ２が写真処理剤用容器１２のＬ１寸法とほぼ同じとされ、長辺の長さ寸法Ｌ３がＬ１寸法の３倍とほぼ同じとされている。図５に示すように、箱本体５０の空洞部の深さ（高さ）寸法Ｈ７については、写真処理剤用容器１２の高さ寸法Ｈ３（図１０参照）よりも僅かに大きくされている。また、箱本体５０には、詳細については後述する複数の開口部が形成されている。
【００４４】
中蓋５４は、箱本体５０の後面５８の上縁６０（図５及び図６参照）に繋がれて、箱本体５０の開口５２よりも一回り小さい矩形状とされている。箱本体５０との接続部となる上縁６０には折り目が設けられており、この折り目によって中蓋５４は、箱本体５０の開口５２を閉塞する方向又は開放する方向へ折り曲げ可能とされている。また、中蓋５２には、長手方向に沿って所定の間隔で配置された３個の円形孔６２が形成されている（図１及び図２参照）。これらの円形孔６２は、写真処理剤用容器１２のキャップ３８の最大径部よりも直径が少し大きくされており、中心が中蓋５４の先端側に所定寸法オフセットされている。
【００４５】
外蓋５６は、箱本体５０の前面６４の上縁６６（図５及び図６参照）に繋がれており、その上縁６６に繋がれて箱本体５０の開口５２とほぼ同じ大きさの矩形状とされた蓋部６８、及び蓋部６８の先端側に設けられた固定部７０により構成されている。箱本体５０との接続部となる上縁６６には折り目が設けられており、この折り目によって外蓋５６は、箱本体５０の開口５２を閉塞する方向又は開放する方向へ折り曲げ可能とされている。さらに、蓋部６８と固定部７０との接続部にも、上縁６６の折り目と平行に折り目が設けられており、これによって固定部７０は、蓋部６８に対して折り曲げ可能とされている。また、蓋部６８には、長手方向に沿って所定の間隔で配置された３個の円形孔７２が形成されている（図１及び図２参照）。これらの円形孔７２は、写真処理剤用容器１２のキャップ３８の最大径部よりも直径が少し大きくされて中蓋５４の円形孔６２と略同径とされており、中心が外蓋５６の先端側に所定寸法オフセットされている。
【００４６】
収納箱１４は以上の構成とされており、この収納箱１４に、前述した写真処理剤用容器１２を収納する際は、箱本体５０の中蓋５４及び外蓋５６を開放し、写真処理剤用容器１２を図８〜図１１に示す縦向きにして底部２０側から箱本体５０の開口５２に挿入する。３本の写真処理剤用容器１２を箱本体５０に全て挿入すると、各写真処理剤用容器１２は、隣接する写真処理剤用容器１２の外側面２２同士が面接するとともに、他の外側面２２が箱本体５０の内面に面接して横一列に整列される。これにより、写真処理剤用容器１２同士及び写真処理剤用容器１２と箱本体５０の間には無駄なスペースが殆ど生じない状態となり、さらに、写真処理剤用容器１２の箱本体５０内での前後方向及び左右方向へのガタツキも抑えられる。
【００４７】
この状態で、各写真処理剤用容器１２のキャップ３８及び円筒部３０の小径部３４は、箱本体５０の上面（開口５２）よりも上方へ突出されており、次に、中蓋５４及び外蓋５６をその順番で開口５２側に折り曲げる。
【００４８】
先ず、中蓋５４を折り曲げると、各円形孔６２はそれぞれキャップ３８及び小径部３４を貫通し、中蓋５４が箱本体５０の後面５８に対して略直角に折り曲げられた位置で各円形孔６２の孔縁の基端側がフランジ３６に略当接する（図１参照）。続いて、外蓋５６を折り曲げると、各円形孔７２はそれぞれキャップ３８及び小径部３４を貫通し、外蓋５６が箱本体５０の前面６４に対して略直角に折り曲げられた位置で各円形孔７２の孔縁の基端側がフランジ３６に略当接するとともに、蓋部６８が中蓋５４に重ね合わせられる（図１参照）。
【００４９】
最後に、外蓋５６の固定部７０を蓋部６８に対して下方へ略直角に折り曲げ、箱本体５０の後面５８に面接させて接着し固定すると、箱本体５０の開口５２は中蓋５４と外蓋５６によって二重に塞がれるとともに、各写真処理剤用容器１２は、フランジ３６が中蓋５４と外蓋５６に押えられることで箱本体５０内での上下方向へのガタツキが抑えられる。以上により、３本の写真処理剤用容器１２を収納箱１４に横一列に収納して１セットにするとともに、各写真処理剤用容器１２のキャップ３８及びパッキン４０を外部へ露出させた構造の写真処理剤カートリッジ１０が構成される。
【００５０】
また、各写真処理剤用容器１２の収納箱１４への収納においては、凹部２６の配置を異ならせる複数の収納向きが選択可能とされている。本実施の形態では、写真処理剤用容器１２を軸心回りに９０度間隔で回転させることにより、凹部２６を前後左右方向の何れかに向けて配置する４通りの収納向きが選択可能とされている。そしてここでは、横一列の配列において左側に配置される写真処理剤用容器１２Ａ及び右側に配置される写真処理剤用容器１２Ｃは、共に凹部２６を左方向に向け、中央に配置される写真処理剤用容器１２Ｂは、凹部２６を右方向に向けて、収納箱１４にそれぞれ収納している。これにより、写真処理剤用容器１２Ｂの凹部２６と、写真処理剤用容器１２Ｃの凹部２６とが対向し、これらの２つの凹部２６によって、図３及び図４に示すように、前後方向に貫通する縦長略六角形状の貫通孔が形成されている。
【００５１】
前述したように本実施形態の収納箱１４の箱本体５０には、孔や切り欠きを含む複数の開口部が形成されている。
【００５２】
図１〜図４に示すように、箱本体５０の前面６４及び後面５８には、各面の上下方向中央よりも下側で且つ左右側部の対称位置に、上下に所定の間隔で配置された二対の円形孔７４が形成されている（片面当たり４個、両面で計８個）。これらの円形孔７４は、写真処理剤カートリッジ１０を持つ際に指先を引っ掛けるためのものであり、直径が約１８ｍｍとされている。
【００５３】
本実施形態の写真処理剤カートリッジ１０では、写真処理剤用容器１２を３本有するために重量があり、加えて収納箱１４は段ボール製であるため、収納箱１４の表面が平滑面であると、オペレータ等は、写真処理剤カートリッジ１０の収納箱１４を持った際に手が滑らないよう収納箱１４を強い力で掴む必要がある。そのため、収納箱１４を掴んだ両手の指先が置かれる箱本体５０の左右側部に円形孔７４を複数形成し、それらの円形孔７４に指先を引っ掛けられるようにすることで、写真処理剤カートリッジ１０が滑らずに持ちやすくされている。
【００５４】
箱本体５０の前面６４の上端部には、縦長矩形状の切り欠き７６が２個形成されている。これらの切り欠き７６は、従来の写真処理剤カートリッジ２００の切り欠き２１２と同じ左右非対称の所定位置に配置されている。
【００５５】
また、箱本体５０の左側面７８と、前面６４及び後面５８とには、３本の写真処理剤用容器１２を収納した状態で各写真処理剤用容器１２の凹部２６と対応する部位に開口８０、８２、８４が形成されている。
【００５６】
詳細には、箱本体５０の左側面７８には、写真処理剤用容器１２Ａの凹部２６と対応する切り欠き状の開口８０が形成されている。この開口８０は、左側面視が矩形状とされて凹部２６と高さ寸法がほぼ同じとされており（図５参照）、前面６４側及び後面５８側は縦長略半楕円形状に切り欠かれてその切り欠き部の深さ寸法が凹部２６の深さ寸法とほぼ同じとされている（図３及び図４参照）。そしてこれらの開口８０と凹部２６とによって、写真処理剤カートリッジ１０の収納箱１４の左側端部には、前後方向に貫通する凹部からなる第１嵌合部８６が形成されている。
【００５７】
箱本体５０の前面６４及び後面５８には、対向して配置された写真処理剤用容器１２Ｂの凹部２６及び写真処理剤用容器１２Ｃの凹部２６と対応する縦長略楕円形状の開口８２、８４がそれぞれ形成されている。これらの開口８２、８４は、対向する２つの凹部２６によって形成された縦長略六角形状の貫通孔と、高さ及び幅寸法がほぼ同じとされている（図３及び図４参照）。そしてこれらの開口８２、８４と２つの凹部２６とによって、写真処理剤カートリッジ１０の収納箱１４の上下方向中央よりも少し上側で、且つ、左右方向中央よりも少し右側には、前後方向に貫通する貫通孔からなる第２嵌合部８８が形成されている。
【００５８】
図１４には、上述した写真処理剤カートリッジ１０が装填される自動現像機（デジタルラボシステム）１００が示されている。
【００５９】
本実施形態の自動現像機１００は、撮像部（ＣＣＤスキャナ）１０２、フィルムキャリア１０４、表示部（カラーディスプレイ）１０６、操作部１０８、及び画像処理部１１０を備えそれらを一体化した入力装置１１２と、レーザプリンタ部１１４及びペーパプロセッサ部１１６を備えそれらを一体化した出力装置１１８とによって構成されている。写真処理剤カートリッジ１０を装填するカートリッジ装填部１２０については、出力装置１１８に設けられており、以下、そのカートリッジ装填部１２０について説明する。
【００６０】
図１５及び図１６には、本発明の第１の実施形態に係るカートリッジ装填部１２０が示されている。カートリッジ装填部１２０には、前面の開口形状が略四角形とされた凹部１２２が設けられており、凹部１２２の前面には、凹部１２２を開放及び閉塞する位置に開閉移動可能とされた扉１２４が取り付けられている。
【００６１】
凹部１２２は、高さ寸法が写真処理剤カートリッジ１０の収納箱１４の高さ寸法よりも所定寸法大きくされ、幅さ寸法が収納箱１４の幅寸法よりも僅かに大きくされており、深さ（奥行き）寸法については、収納箱１４の厚さ寸法よりも僅かに大きくされている。
【００６２】
凹部１２２の底壁１２６には、左右方向に所定の間隔で配列された３個の挿入孔１２８が形成されている。これらの挿入孔１２８には、写真処理剤カートリッジ１０の装填時に写真処理剤用容器１２Ａ、１２Ｂ、１２Ｃの各々の口部３７（キャップ３８及びパッキン４０）が挿入されるようになっており、各挿入孔１２８の内部には、先端を円錐状とした洗浄ノズル１３０が同軸的に配設されている。これらの洗浄ノズル１３０は、先端のノズル孔から洗浄液を上方へ円錐状に噴射するスプレーノズルとされており、図示しない駆動機構によって上下方向（図中の矢印Ａ方向）へ移動するよう構成されている。また、各洗浄ノズル１３０には、自動現像機１００に内蔵された図示しないポンプから、配管を通して洗浄液が各々供給されるようになっている。
【００６３】
凹部１２２の奥壁１３２には、写真処理剤カートリッジ１０の２個の切り欠き７６、第１嵌合部８６及び第２嵌合部８８と対応する計４個の凸部が設けられている。
【００６４】
２個の切り欠き７６と対応する２個の凸部１３４は、奥壁１３２の下端部の所定位置にそれぞれ配置されている。第１嵌合部８６と対応する第１嵌合凸部１３６は、奥壁１３２の上下方向中央よりも少し下側で、且つ、奥壁１３２の左側端部に配置されている。また、第２嵌合部８８と対応する第２嵌合凸部１３８は、第１嵌合凸部１３６と同じ高さ位置で、且つ、左右方向中央よりも少し右側に配置されている。
【００６５】
カートリッジ装填部１２０は以上の構成とされており、次に、このカートリッジ装填部１２０を備える自動現像機１００への写真処理剤カートリッジ１０の装填方法について説明する。
【００６６】
写真処理剤カートリッジ１０を自動現像機１００に装填するには、オペレータが、図１５に示すようにカートリッジ装填部１２０の扉１２４を開放した後、写真処理剤カートリッジ１０の収納箱１４を掴んで上下逆さまの向きにし、収納箱１４の前面６４側を凹部１２２に向けて装填する。
【００６７】
ここでは、先ず、写真処理剤カートリッジ１０を手前に少し傾けた姿勢で、写真処理剤用容器１２Ａ、１２Ｂ、１２Ｃのキャップ３８を挿入孔１２８に挿入する。キャップ３８を挿入孔１２８に挿入していくと、写真処理剤カートリッジ１０の切り欠き７６が凸部１３４に位置合わせされてそれらは嵌合し、さらなる挿入が可能となる。そのままキャップ３８の挿入を続け、収納箱１４の外蓋５６が凹部１２２の底壁１２６に当接すると挿入完了となり、続いて、写真処理剤カートリッジ１０を凹部１２２に押し込んでいく。
【００６８】
この押し込みでは、写真処理剤カートリッジ１０の第１嵌合部８６及び第２嵌合部８８が第１嵌合凸部１３６及び第２嵌合凸部１３８に位置合わせされてそれぞれ嵌合し、さらなる押し込みが可能となる。そしてそのまま写真処理剤カートリッジ１０を凹部１２２に押し込み、収納箱１４の前面６４が凹部１２２の奥壁１３２に当接すると、写真処理剤カートリッジ１０の装填が完了する。
【００６９】
以上の装填作業において、オペレータは、第１嵌合部８６と第１嵌合凸部１３６、及び、第２嵌合部８８と第２嵌合凸部１３８とがそれぞれ嵌合し、写真処理剤カートリッジ１０を無事に装填できたことにより、この写真処理剤カートリッジ１０が自動現像機１００に対する適正品であると判断できる。一方、上記の嵌合部（第１嵌合部８６及び第２嵌合部８８）とは数や配置が異なる形態の写真処理剤カートリッジをこの自動現像機１００に装填した場合は、その嵌合部と第１嵌合凸部１３６、第２嵌合凸部１３８とが嵌合しないため、写真処理剤カートリッジを装填することができない。そのため、オペレータは、装填不可能となる写真処理剤カートリッジが自動現像機１００に対し不適品であると判断できる。
【００７０】
また、写真処理剤カートリッジ１０の装填完了後に、オペレータが写真処理剤の供給動作を開始させる所定の操作を行うと、洗浄ノズル１３０が上昇して写真処理剤用容器１２Ａ、１２Ｂ、１２Ｃのパッキン４０を押圧する。すると、パッキン４０に形成された４本の溝４４が中央部から切り裂かれ、洗浄ノズル１３０の更なる上昇に伴いその裂け目が広がって写真処理剤用容器１２Ａ、１２Ｂ、１２Ｃは開封される。これにより、各容器内の写真処理剤は排出され自動現像機１００に供給される。
【００７１】
続いて、自動調液機能により、洗浄ノズル１３０の先端部から洗浄水が噴射され、写真処理剤用容器１２Ａ、１２Ｂ、１２Ｃの内部は洗浄される。これにより、各容器内に残留する写真処理剤が流出して自動現像機１００に無駄なく供給されるとともに、写真処理剤は洗浄水と混合して所望の濃度に希釈される。
【００７２】
このように、３本の写真処理剤用容器１２Ａ、１２Ｂ、１２Ｃを１セットにした写真処理剤カートリッジ１０を用いるカートリッジ方式によって、オペレータは、写真処理剤用容器及び写真処理剤に触れることなく、３種類の写真処理剤（現像液、漂白液、定着液）を一度に自動現像機１００に供給できるようになる。したがって、作業の簡便性及び清潔性が図られる。
【００７３】
また、この写真処理剤カートリッジ１０では、上述した誤装填防止のために設ける嵌合部の数及び配置を異ならせる組み合わせ（誤装填防止パターン）を、数多くしかも簡単に形成することができる。以下に説明する本発明の第２〜第５の実施形態に、その誤装填防止パターンの一例を挙げる。
【００７４】
［第２〜第５の実施形態］
第２〜第５の実施形態は、第１の実施形態で説明した嵌合部の数、配置を変更することで第１の実施形態とは異なる誤装填防止パターンを設定した例である。なお、第１の実施形態で説明した構成と同一構成については同じ符合を付してその説明は省略する。
【００７５】
図１７には、本発明の第１〜第５の実施形態に係る写真処理剤カートリッジの写真処理剤用容器１２Ａ、１２Ｂ、１２Ｃの収納向きと収納箱１４に形成する開口部の数、配置の関係が示されている。また、図１８〜図２１には、第２〜第５の実施形態に係る写真処理剤カートリッジが示されている。
【００７６】
図１７（Ａ）に示す第１の実施形態では、前述したように、写真処理剤用容器１２Ａ、１２Ｃは共に凹部２６を左方向に向け、写真処理剤用容器１２Ｂは凹部２６を右方向に向けて、収納箱１４にそれぞれ収納している。この収納形態に対し、収納箱１４の箱本体５０には、左側面７８に写真処理剤用容器１２Ａの凹部２６と対応する開口８０が形成され、前面６４及び後面５８に写真処理剤用容器１２Ｂ、１２Ｃの各凹部２６と対応する開口８２、８４が形成されている。
【００７７】
これにより、第１実施形態の写真処理剤カートリッジ１０には、写真処理剤用容器１２Ａ、１２Ｃの各凹部２６と開口８０、８２とによって形成される第１嵌合部８６、及び、写真処理剤用容器１２Ｃの凹部２６と開口８４とによって形成される第２嵌合部８８からなる第１誤装填防止パターンが設定されている。
【００７８】
図１７（Ｂ）及び図１８に示す第２実施形態では、写真処理剤用容器１２Ａは凹部２６を左方向に向け、写真処理剤用容器１２Ｂは凹部２６を前方向に向け、写真処理剤用容器１２Ｃは凹部２６を右方向に向けて、収納箱１４にそれぞれ収納している。この収納形態に対し、収納箱１４の箱本体５０には、第１実施形態と同様に左側面７８に開口８４が形成され、右側面９０に写真処理剤用容器１２Ｃの凹部２６と対応する開口１４０が形成されている。
【００７９】
これにより、第２実施形態の写真処理剤カートリッジ１５０には、第１実施形態と同じ第１嵌合部８６、及び、写真処理剤用容器１２Ｃの凹部２６と開口１４０とによって形成される第３嵌合部１５２からなる第２誤装填防止パターンが設定されている。なお、この第２実施形態では、収納箱１４に写真処理剤用容器１２Ｂの凹部２６と対応する開口を形成していないため、写真処理剤用容器１２Ｂの収納向きについては上記以外でも構わない。
【００８０】
図１７（Ｃ）及び図１９に示す第３実施形態では、写真処理剤用容器１２Ａ、１２Ｂ、１２Ｃは全て凹部２６を左方向に向けて、収納箱１４にそれぞれ収納している。この収納形態に対し、収納箱１４の箱本体５０には、第１実施形態と同様に左側面７８に開口８４が形成され、前面６４及び後面５８に写真処理剤用容器１２Ｂ、１２Ｃの各凹部２６と対応する開口１４２、１４３、１４４、１４５が形成されている。
【００８１】
これにより、第３実施形態の写真処理剤カートリッジ１６０には、第１実施形態と同じ第１嵌合部８６、写真処理剤用容器１２Ｂの凹部２６と開口１４２、１４３とによって形成される第４嵌合部１６２、及び、写真処理剤用容器１２Ｃの凹部２６と開口１４４、１４５とによって形成される第５嵌合部１６４からなる第３誤装填防止パターンが設定されている。
【００８２】
図１７（Ｄ）及び図２０に示す第４実施形態では、写真処理剤用容器１２Ａは凹部２６を左方向に向け、写真処理剤用容器１２Ｂ、１２Ｃは、共に凹部２６を右方向に向けて、収納箱１４にそれぞれ収納している。この収納形態に対し、収納箱１４の箱本体５０には、左側面７８に開口８４が形成され、第２実施形態と同様に右側面９０に開口１４０が形成され、前面６４及び後面５８に写真処理剤用容器１２Ｂ凹部２６と対応する開口１４６、１４７が形成されている。
【００８３】
これにより、第４実施形態の写真処理剤カートリッジ１７０には、第１実施形態と同じ第１嵌合部８６、第２実施形態と同じ第３嵌合部１５２、及び、写真処理剤用容器１２Ｂの凹部２６と開口１４６、１４７とによって形成される第６嵌合部１７２からなる第４誤装填防止パターンが設定されている。
【００８４】
図１７（Ｅ）及び図２１に示す第５実施形態では、写真処理剤用容器１２Ａ、１２Ｂ、１２Ｃを第２実施形態と同じ収納向きにして、収納箱１４にそれぞれ収納している。この収納形態に対し、収納箱１４の箱本体５０には、左側面７８に開口８４が形成され、右側面９０に開口１４０が形成され、後面５８に写真処理剤用容器１２Ｂの凹部２６と対応する開口１４８が形成されている。
【００８５】
これにより、第５実施形態の写真処理剤カートリッジ１８０には、第１実施形態と同じ第１嵌合部８６、第２実施形態と同じ第３嵌合部１５２、及び、写真処理剤用容器１２Ｂの凹部２６と開口１４８とによって形成される第７嵌合部１８２からなる第５誤装填防止パターンが設定されている。
【００８６】
以上の第１〜第５の実施形態によって、５種類の誤装填防止パターンが設定されるが、この第１〜第５の実施形態の他にも、写真処理剤用容器１２Ａ、１２Ｂ、１２Ｃのそれぞれの収納向きを変えることで、多数の誤装填防止パターンを簡単に設定することができる。例えば、上述したように３本の写真処理剤用容器１２Ａ、１２Ｂ、１２Ｃが同一構成の場合は、最大で６４種類の誤装填防止パターンが設定可能である。そして、自動現像機のカートリッジ装填部には、写真処理剤カートリッジの誤装填防止パターンと対応する嵌合凸部を設け、これにより、オペレータは、写真処理剤カートリッジを自動現像機に装填する際の嵌合部と嵌合凸部の嵌合の可否による装填の可否により、その写真処理剤カートリッジの正誤が判断できる。
【００８７】
以上説明したように、本実施の形態に係る写真処理剤カートリッジ１０では、異なる種類の写真処理剤がそれぞれ充填された複数（３本）の写真処理剤用容器１２を収納箱１４に収納して写真処理剤カートリッジ１０を形成すると、写真処理剤用容器１２に設けられた外側面２２が局部的に凹状に変形された凹部２６が、収納箱１４に設けられた開口８０、８２、８４に位置合わせされる。自動現像機１００への装填では、これらの凹部２６と開口８０、８２、８４とによって形成される第１嵌合部８６及び第２嵌合部８８と、自動現像機１００のカートリッジ装填部１２０に設けられた第１嵌合凸部１３６及び第２嵌合凸部１３８との嵌合の可否により、写真処理剤カートリッジ１０の誤装填防止が図られる。
【００８８】
そして、写真処理剤カートリッジ１０が備える凹部（嵌合部）の数、配置の変更は、各写真処理剤用容器１２の収納箱１４への収納向きを変えて各凹部２６の配置を変更するとともに、収納箱１４にはそれに応じて数、配置を異ならせた開口部（開口８０、８２、８４、１４０、１４２、１４３、１４４、１４５、１４６、１４７、１４８等）を設けることにより行う。これにより、自動現像機１００への誤装填を防止するために写真処理剤カートリッジ１０に設ける誤装填防止パターンがより多くしかも簡単に設定できるようになる。
【００８９】
また、本実施の形態では、写真処理剤用容器１２は、収納箱１４への収納において、凹部２６の配置を異ならせる複数（４通り）の収納向きが選択可能であり、その複数の収納向きのうちの何れか一つを選択して収納する。これにより、誤装填防止パターンの設定において、凹部２６の数、配置変更が簡単になる。また、写真処理剤用容器１２の凹部２６同士を対向させた場合は、単独の凹部２６とは異なった（単独の凹部２６よりも大きい）凹部形状を形成することができるようになり、それによって、更に多くの誤装填防止パターンが設定できるようになる。
【００９０】
また、本実施の形態では、写真処理剤用容器１２を四角筒状としたことにより、収納箱１４への収納における写真処理剤用容器１２同士及び写真処理剤用容器１２と収納箱１４の間に生じる無駄なスペースが小さくされている。また、写真処理剤用容器１２に設ける凹部２６は、４面の外側面２２の何れか１面に１個としたことにより、凹部を複数設ける場合と比較しての容器の容積低下を抑えながらも、収納箱１４への収納では、凹部２６の配置を異ならせる収納向きが４つの向きから選択できるようになる。
【００９１】
また、本実施の形態では、３本の写真処理剤用容器１２を同一構成としたことにより、すなわち、同材料により同形状に形成された一種類の写真処理剤用容器１２を用いていることにより、写真処理剤用容器１２及び写真処理剤カートリッジ１０の製造管理が容易となってコストが抑えられる。
【００９２】
［第６の実施形態］
第６の実施形態は、第１の実施形態で説明した３本の写真処理剤用容器１２を１セットにするセット部材にテープ材を用いた例である。なお、第１の実施形態で説明した構成と同一構成については同じ符合を付してその説明は省略する。
【００９３】
図２２に示される第６の実施形態に係る写真処理剤カートリッジ１９０は、３本の写真処理剤用容器１２Ａ、１２Ｂ、１２Ｃが、凹部２６の向きを第１の実施形態と同じにするとともに互いの外側面２２を接触させ横一列に配列された状態で、３本のテープ材１９２により結束されている。３本のテープ材１９２による結束位置は、写真処理剤用容器１２Ａ、１２Ｂ、１２Ｃの胴部２４の上部近傍、下部近傍、及び、中央付近における凹部２６よりも少し下がった位置となっている。これにより、写真処理剤用容器１２Ａ、１２Ｂ、１２Ｃの各凹部２６は、テープ材１９２に塞がれることなく露出された状態となっている。
【００９４】
またテープ材１９２は、熱可塑性のプラスチック材料によって形成されており、写真処理剤用容器１２Ａ、１２Ｂ、１２Ｃの結束処理については、所定長のテープ材１９２を所定の張力を掛けて胴部２４に巻き付け後、テープ材１９２の両端部を重ね合わせて加熱溶着することにより行っている。
【００９５】
このように、３本の写真処理剤用容器１２Ａ、１２Ｂ、１２Ｃを３本のテープ材１９２により結束して１セットした構成の第６の実施形態に係る写真処理剤カートリッジ１９０では、テープ材１９２に塞がれることなく露出された各凹部２６により、第１実施形態の写真処理剤カートリッジ１０と同じ誤装填パターンが形成される。そしてこの写真処理剤カートリッジ１９０の場合も、写真処理剤用容器１２Ａ、１２Ｂ、１２Ｃをそれぞれ軸心回りに９０度間隔で回転させ凹部２６の配置を異ならせることにより、多数の誤装填防止パターンを簡単に設定することができる。また、このようなテープ材１９２を用いることにより、写真処理剤カートリッジ１９０の製造コストが抑えられる。さらにテープ材１９２をプラスチック材料で形成していることにより、テープ材１９２の材料リサイクル性も良好になる。
【００９６】
以上、本発明を上述した第１〜第６の実施形態により詳細に説明したが、本発明はそれらに限定されるものではなく、本発明の範囲内にて他の種々の実施形態が可能である。
【００９７】
例えば、上述した実施形態では、複数（３本）の写真処理剤用容器を全て同一構成としているが、これに限らず、例えば、凹部の有無や数、配置等が異なる複数種類の写真処理剤用容器を組み合わせて用いてもよい。これに関連し、写真処理剤用容器に設ける凹部の数は１個に限らず、２個以上でもよい。凹部を１つの写真処理剤用容器に複数設ける場合の各凹部の配置については、四角筒状の写真処理剤用容器においては、全て同じ外側面に配置する、あるいは複数の外側面に配置することができる。また写真処理剤用容器の形状は四角筒状に限らず、その他の多角形筒状又は円筒状でもよい。角筒状の写真処理剤用容器に凹部を複数設ける場合の各凹部の配置についても、全て同じ外側面に配置する、あるいは複数の外側面に配置することができる。また凹部は、角筒状の外側面又は円筒状の外周面の他に、写真処理剤用容器の底面（底部）に設けることもできる。凹部の形状及び大きさについては、自動現像機に設ける嵌合凸部が嵌合可能なものであれば如何なる形状及び大きさでも構わない。ただし、凹部を大きくすると、必要容量を保つために写真処理剤用容器全体が大きくされるため、容器サイズ及び形状等を考慮の上、嵌合凸部との嵌合を果たす範囲においてできるだけ小さい方が好ましい。カートリッジ形態にセット化する写真処理剤用容器の数は、３本に限らず、２本又は４本以上でもよい。
【００９８】
写真処理剤用容器１２の口部３７を閉塞するパッキン４０の溝４４については、４本の溝が放射状に延出されるとともに湾曲した形状とされているが、これに限らず、例えば、４本の溝が放射状に直線的に延出される十字形状、あるいは、直線状の１本の溝からなる一文字形状等としてもよい。
【００９９】
収納箱については、段ボール製に限らず、プラスチック製等でもよい。また、上述した収納箱１４には、従来の誤装填防止に用いていた切り欠き２１２を残しているが、これは取り除いても構わない。また、この切り欠き２１２の有無や数、配置の差異を本発明の誤装填防止パターンに組み合わせてもよく、それによって、さらに多くの誤装填防止パターンが設定できるようになる。
【０１００】
また複数の容器を１セットにするセット部材は、複数の容器を収納する収納箱等のケース部材、複数の容器を結束するテープ材等の結合部材に限らず、複数の容器を包装するフィルム材等の結合部材でもよい。
【０１０１】
【発明の効果】
本発明の写真処理剤カートリッジは上記構成としたので、自動現像機への誤装填を防止するための誤装填防止パターンをより多くしかも簡単に設定することができる。
【図面の簡単な説明】
【図１】本発明の第１の実施形態に係る写真処理剤カートリッジを示した正面側から見た斜視図である。
【図２】本発明の第１の実施形態に係る写真処理剤カートリッジを示した背面側から見た斜視図である。
【図３】本発明の第１の実施形態に係る写真処理剤カートリッジを示した正面図である。
【図４】本発明の第１の実施形態に係る写真処理剤カートリッジを示した背面図である。
【図５】本発明の第１の実施形態に係る写真処理剤カートリッジを示した左側面図である。
【図６】本発明の第１の実施形態に係る写真処理剤カートリッジを示した右側面図である。
【図７】本発明の第１の実施形態に係る写真処理剤カートリッジを示した平面図である。
【図８】本発明の第１の実施形態に係る写真処理剤用容器を示した正面左側から見た斜視図である。
【図９】本発明の第１の実施形態に係る写真処理剤用容器を示した正面右側から見た斜視図である。
【図１０】本発明の第１の実施形態に係る写真処理剤用容器を示した正面図である。
【図１１】本発明の第１の実施形態に係る写真処理剤用容器を示した右側面図である。
【図１２】本発明の第１の実施形態に係る写真処理剤用容器の凹部近傍を拡大し部分断面として示した右側から見た垂直断面図である。
【図１３】本発明の第１の実施形態に係る写真処理剤用容器の凹部での水平断面を示した図１１の１３−１３線断面図である。
【図１４】写真処理剤カートリッジが装填される自動現像機を示した外観図である。
【図１５】自動現像機のカートリッジ装填部に写真処理剤カートリッジを装填する様子を示した斜視図である。
【図１６】自動現像機のカートリッジ装填部を示した正面図である。
【図１７】本発明の第１〜第５の実施形態に係る写真処理剤カートリッジの誤装填防止パターンを示した図である。
【図１８】本発明の第２の実施形態に係る写真処理剤カートリッジを示した（Ａ）が正面側から見た斜視図、（Ｂ）が背面側から見た斜視図である。
【図１９】本発明の第３の実施形態に係る写真処理剤カートリッジを示した（Ａ）が正面側から見た斜視図、（Ｂ）が背面側から見た斜視図である。
【図２０】本発明の第４の実施形態に係る写真処理剤カートリッジを示した（Ａ）が正面側から見た斜視図、（Ｂ）が背面側から見た斜視図である。
【図２１】本発明の第５の実施形態に係る写真処理剤カートリッジを示した（Ａ）が正面側から見た斜視図、（Ｂ）が背面側から見た斜視図である。
【図２２】本発明の第６の実施形態に係る写真処理剤カートリッジを示した正面側から見た斜視図である。
【図２３】従来の写真処理剤カートリッジを示した正面側から見た斜視図である。
【図２４】従来の写真処理剤カートリッジを示した背面側から見た斜視図である。
【図２５】従来の写真処理剤用容器を示した斜視図である。
【図２６】従来の写真処理剤用容器を示した正面図である。
【図２７】従来の写真処理剤用容器の胴部での水平断面を示した図２６の２７−２７線断面図である。
【符号の説明】
１０        写真処理剤カートリッジ
１２（１２Ａ、１２Ｂ、１２Ｃ）        写真処理剤用容器（容器）
１４        収納箱（ケース部材／セット部材）
２０        底部（外面）
２２        外側面
２４        胴部（外面）
２６        凹部
８０、８２、８４        開口（開口部）
８２        開口（開口部）
８４        開口（開口部）
１００        自動現像機
１２０        カートリッジ装填部（装填部）
１３６        第１嵌合凸部（凸部）
１３８        第２嵌合凸部（凸部）
１４０〜１４８        開口（開口部）
１５０        写真処理剤カートリッジ
１６０        写真処理剤カートリッジ
１７０        写真処理剤カートリッジ
１８０        写真処理剤カートリッジ
１９０        写真処理剤カートリッジ
１９２        テープ材（結合部材／セット部材）
【図１】
2005017836.tif 000003
【図２】
2005017836.tif 000004
【図３】
2005017836.tif 000005
【図４】
2005017836.tif 000006
【図５】
2005017836.tif 000007
【図６】
2005017836.tif 000008
【図７】
2005017836.tif 000009
【図８】
2005017836.tif 000010
【図９】
2005017836.tif 000011
【図１０】
2005017836.tif 000012
【図１１】
2005017836.tif 000013
【図１２】
2005017836.tif 000014
【図１３】
2005017836.tif 000015
【図１４】
2005017836.tif 000016
【図１５】
2005017836.tif 000017
【図１６】
2005017836.tif 000018
【図１７】
2005017836.tif 000019
【図１８】
2005017836.tif 000020
【図１９】
2005017836.tif 000021
【図２０】
2005017836.tif 000022
【図２１】
2005017836.tif 000023
【図２２】
2005017836.tif 000024
【図２３】
2005017836.tif 000025
【図２４】
2005017836.tif 000026
【図２５】
2005017836.tif 000027
【図２６】
2005017836.tif 000028
【図２７】
2005017836.tif 000029